(57)【要約】【課題】  空調機における省エネ化とユーザへの快適性の提供とを両立可能とする空調制御装置、空調制御プログラム及び空調システムを提供する。【解決手段】第１実施形態に係る空調制御装置１３において、温度設定部４３は、第１温度Ｔ１を設定温度ＴＳとして設定している場合において第２温度Ｔ２が取得されたとき、第１温度Ｔ１と第２温度Ｔ２とを交互に繰り返し設定温度ＴＳとして設定する。【選択図】図３
2010276287.tif 000002
【特許請求の範囲】
【請求項１】
室内に配置された室内機を有し、前記室内機周辺の温度を設定温度に調整する空調機を制御する空調制御装置であって、
前記室内機周辺の温度と、所定の期間内に前記空調機によって消費された電力量とのうち少なくともひとつに基づいて算出される第１温度を取得する第１取得部と、
希望温度の入力を受付ける受付け部と、
前記受付け部から出力される前記希望温度を第２温度として取得する第２取得部と、
前記第１温度を前記設定温度としている場合において前記第２温度が取得されたとき、前記第１温度と前記第２温度とを交互に繰り返し前記設定温度とする温度設定部と
を備えることを特徴とする空調制御装置。
【請求項２】
前記第１温度が前記設定温度として設定される時間である第１時間と、前記第２温度が前記設定温度として設定される時間である第２時間とを設定する時間設定部と、
前記第１温度と前記第２温度との温度差が所定の閾値よりも大きいか否かを判定する判定部と
を備え、
前記時間設定部は、前記温度差が前記所定の閾値よりも大きいと前記判定部によって判定された場合、前記第１時間よりも前記第２時間のほうを長くする
ことを特徴とする請求項１に記載の空調制御装置。
【請求項３】
前記第１温度が前記設定温度として設定される時間である第１時間と、前記第２温度が前記設定温度として設定される時間である第２時間とを設定する時間設定部と、
前記第２取得部がユーザから前記第２温度を取得した回数である取得回数をカウントする取得回数カウント部と
を備え、
前記時間設定部は、前記取得回数が増えるに従って、前記第２時間を徐々に長くする
ことを特徴とする請求項１又は２に記載の空調制御装置。
【請求項４】
前記第１温度が前記設定温度として設定される時間である第１時間と、前記第２温度が前記設定温度として設定される時間である第２時間とを設定する時間設定部と、
前記第２取得部がユーザから前記第２温度を取得した時点からの経過時間をカウントする経過時間カウント部と
を備え、
前記時間設定部は、前記経過時間が長くなるに従って、前記第２時間を徐々に短くする
ことを特徴とする請求項１〜３いずれかに記載の空調制御装置。
【請求項５】
室内に配置された室内機を有し、前記室内機周辺の温度を設定温度に調整する空調機を制御する空調制御装置として機能するコンピュータに、
前記室内機周辺の温度と、所定の期間内に前記空調機によって消費された電力量とのうち少なくともひとつに基づいて算出される第１温度を取得する工程と、
前記第１温度を前記設定温度として設定する工程と、
希望温度の入力を受付ける工程と、
受付けた前記希望温度を第２温度として取得する工程と、
前記第２温度を前記設定温度として設定する工程と、
前記第１温度と前記第２温度とを交互に繰り返し前記設定温度として設定する工程と
を実行させることを特徴とする空調制御プログラム。
【請求項６】
室内に配置された室内機を有し、前記室内機周辺の温度を設定温度に調整する空調機と、
前記空調機を制御する空調制御装置と
を備える空調制御システムであって、
前記室内機周辺の温度と、所定の期間内に前記空調機によって消費された電力量とのうち少なくともひとつに基づいて算出される第１温度を取得する第１取得部と、
希望温度の入力を受付ける受付け部と、
前記受付け部から出力される前記希望温度を第２温度として取得する第２取得部と、
前記第１温度を前記設定温度としている場合において前記第２温度が取得されたとき、前記第１温度と前記第２温度とを交互に繰り返し前記設定温度とする温度設定部と
を備えることを特徴とする空調制御システム。
【発明の詳細な説明】
【技術分野】
【０００１】
本発明は、空調機を制御する空調制御装置、空調制御プログラム及び空調システムに関する。
【背景技術】
【０００２】
従来、室温の調節を目的として、冷媒配管によって接続された室内機と室外機とを有し、室温が設定温度になるように室温を調整する空調機が広く用いられている。
【０００３】
また、空調機における省エネルギー化を可能とする温度（以下、「省エネ温度」という。）を設定温度として、室温を自動調節する手法が提案されている（特許文献１参照）。この手法では、ユーザの操作によって、快適性の向上を目的とする温度（以下、「快適温度」という。）に設定温度が変更された場合においても、ユーザの操作から所定時間経過後に設定温度は元の省エネ温度に戻される。これによって、室温が低すぎる状態又は高すぎる状態にある期間を短くできるので、空調機における省エネ化を促進することができる。
【先行技術文献】
【特許文献】
【０００４】
【特許文献１】特開２００４−９２９５４号公報
【発明の概要】
【発明が解決しようとする課題】
【０００５】
しかしながら、特許文献１に記載の手法では、ユーザが設定する快適温度は、１回のみ設定温度に反映されるにすぎず、その後、設定温度は元の省エネ温度に戻される。そのため、空調機における省エネ化とユーザへの快適性の提供とを両立させることが困難であった。
【０００６】
本発明は、上述の状況に鑑みてなされたものであり、空調機における省エネ化とユーザへの快適性の提供とを両立可能とする空調制御装置、空調制御プログラム及び空調システムを提供することを目的とする。
【課題を解決するための手段】
【０００７】
本発明の特徴に係る空調制御装置は、室内に配置された室内機を有し、室内機周辺の温度室温を設定温度に調整する空調機を制御する空調制御装置であって、室内機周辺の温度と、所定の期間内に空調機によって消費された電力量とのうち少なくともひとつに基づいて算出される第１温度を取得する第１取得部と、希望温度の入力を受付ける受付け部と、受付け部から出力される希望温度を第２温度として取得する第２取得部と、第１温度を設定温度としている場合において第２温度が取得されたとき、第１温度と第２温度とを交互に繰り返し設定温度とする温度設定部とを備えることを要旨とする。
【０００８】
本発明の特徴に係る空調制御装置によれば、空調機における省エネ化を可能とする第１温度と、ユーザが好みに応じて設定する第２温度とによって、空調機を繰り返し制御することができる。その結果、空調機における省エネ化とユーザへの快適性の提供とを両立させることができる。
【０００９】
本発明の特徴に係る空調制御装置は、第１温度が設定温度として設定される時間である第１時間と、第２温度が設定温度として設定される時間である第２時間とを設定する時間設定部と、第１温度と第２温度との温度差が所定の閾値よりも大きいか否かを判定する判定部とを備え、時間設定部は、温度差が所定の閾値よりも大きいと判定部によって判定された場合、第１時間よりも第２時間のほうを長くしてもよい。この場合、温度差が所定の閾値よりも大きい場合、すなわちユーザが快適性の向上を強く求めていると考えられる場合には、第１時間より第２時間を長くすることによって、空調機における省エネ化よりもユーザへの快適性の提供に重きを置くことができる。その結果、ユーザごとに異なる好みに合わせて、省エネ化と快適性の提供とを両立させることができる。
【００１０】
本発明の特徴に係る空調制御装置は、第１温度が設定温度として設定される時間である第１時間と、第２温度が設定温度として設定される時間である第２時間とを設定する時間設定部と、第２取得部がユーザから第２温度を取得した回数である取得回数をカウントする取得回数カウント部とを備え、時間設定部は、取得回数が増えるに従って、第２時間を徐々に長くしてもよい。この場合、温度差が所定の閾値よりも大きい場合、すなわちユーザが快適性の向上を強く求めていると考えられる場合には、第１時間より第２時間を長くすることによって、空調機における省エネ化よりもユーザへの快適性の提供に重きを置くことができる。その結果、ユーザごとに異なる好みに合わせて、省エネ化と快適性の提供とを両立させることができる。
【００１１】
本発明の特徴に係る空調制御装置は、第１温度が設定温度として設定される時間である第１時間と、第２温度が設定温度として設定される時間である第２時間とを設定する時間設定部と、第２取得部がユーザから第２温度を取得した時点からの経過時間をカウントする経過時間カウント部とを備え、時間設定部は、経過時間が長くなるに従って、第２時間を徐々に短くしてもよい。この場合、経過時間が長いほど、すなわちユーザが快適性の向上を強く求めていないと考えられるので、第２時間を短くすることによって、ユーザへの快適性の提供よりも空調機における省エネ化に重きを置くことができる。その結果、ユーザごとに異なる好みに合わせて、省エネ化と快適性の提供とを両立させることができる。
【００１２】
本発明の特徴に係る空調制御プログラムは、室内に配置された室内機を有し、室内機周辺の温度を設定温度に調整する空調機を制御する空調制御装置として機能するコンピュータに、室内機周辺の温度と、所定の期間内に空調機によって消費された電力量とのうち少なくともひとつに基づいて算出される第１温度を取得する工程と、  第１温度を設定温度として設定する工程と、希望温度の入力を受付ける工程と、受付けた希望温度を第２温度として取得する工程と、第２温度を設定温度として設定する工程と、第１温度と第２温度とを交互に繰り返し設定温度として設定する工程とを実行させることを要旨とする。
【００１３】
本発明の特徴に係る空調制御システムは、室内に配置された室内機を有し、室内機周辺の温度を設定温度に調整する空調機と、空調機を制御する空調制御装置とを備える空調制御システムであって、室内機周辺の温度と、所定の期間内に空調機によって消費された電力量とのうち少なくともひとつに基づいて算出される第１温度を取得する第１取得部と、希望温度の入力を受付ける受付け部と、受付け部から出力される希望温度を第２温度として取得する第２取得部と、第１温度を設定温度としている場合において第２温度が取得されたとき、第１温度と第２温度とを交互に繰り返し設定温度とする温度設定部とを備えることを要旨とする。
【発明の効果】
【００１４】
本発明によれば、空調機における省エネ化とユーザへの快適性の提供とを両立可能とする空調制御装置、空調制御プログラム及び空調システムを提供することを目的とする。
【図面の簡単な説明】
【００１５】
【図１】本発明の第１実施形態に係る空調システム１の概要を示す図である。
【図２】本発明の第１実施形態に係る空調制御装置１３の構成を示す図である。
【図３】設定温度ＴＳと室温ＴＲＯＯＭとの推移を模式的に示すグラフである。
【図４】本発明の第１実施形態に係る空調制御装置１３の動作を示すフロー図である。
【図５】本発明の第２実施形態に係る空調制御装置１３の構成を示す図である。
【図６】本発明の第２実施形態に係る空調制御装置１３の動作を示すフロー図である。
【図７】本発明の第３実施形態に係る空調制御装置１３の構成を示す図である。
【図８】本発明の第３実施形態に係る空調制御装置１３の動作を示すフロー図である。
【図９】本発明の第４実施形態に係る空調制御装置１３の構成を示す図である。
【図１０】本発明の第４実施形態に係る空調制御装置１３の動作を示すフロー図である。
【図１１】本発明の第５実施形態に係る空調制御装置１３の構成を示す図である。
【図１２】本発明の第５実施形態に係る空調制御装置１３の動作を示すフロー図である。
【発明を実施するための形態】
【００１６】
以下において、本発明の実施形態について、図面を参照しながら説明する。なお、以下の図面の記載において、同一又は類似の部分には、同一又は類似の符号を付している。ただし、図面は模式的なものであることに留意すべきである。
【００１７】
［第１実施形態］
（空調システムの概要）
以下において、本発明の第１実施形態に係る空調システムの概要について、図面を参照しながら説明する。図１は、第１実施形態に係る空調システム１の概要を示す図である。
【００１８】
図１に示すように、空調システム１は、室内機１１、室外機１２、空調制御装置１３を備える。
【００１９】
室内機１１は、温度調整対象である室内１０に設置されている。室内機１１は、熱交換器１１１、ファン１１２及び温湿度センサ１１３を有する。熱交換器１１１は、冷媒配管Ｐ内を流れる冷媒を用いて、室内空気の冷却を行う。ファン１１２は、熱交換器１１１によって冷却された空気を室内に送風する。温湿度センサ１１３は、室内１０（実際には、温湿度センサ１１３の周辺）の温湿度をリアルタイムに検出する。
【００２０】
室外機１２は、室内１０の外に設置されている。室外機１２は、熱交換器１２１、ファン１２２、圧縮機１２３、四方弁１２４及び膨張弁１２５を備える。熱交換器１２１は、冷媒配管Ｐ内を流れる冷媒の熱を室外に除去する。ファン１２２は、熱交換器１２１に空気を送風する。圧縮機１２３は、室内機１１側から流れてくる低温低圧の冷媒を吸入し、高温高圧の冷媒を吐出する。四方弁１２４は、冷却時と暖房時とで、冷媒の流れを逆転させる。膨張弁１２５は、熱交換器１２１側から流れてくる冷媒を膨張させて室内機１１側に送る。
【００２１】
本実施形態において、室内機１１と室外機１２とは、室内１０の温度である室温ＴＲＯＯＭを調整する空調機１００を構成する。ただし、１台の室外機１２に複数の室内機１１が接続されていてもよい。空調機１００は、温湿度センサ１１３によって検出される室温ＴＲＯＯＭと設定温度ＴＳとの差に応じて、室温ＴＲＯＯＭを設定温度ＴＳに調整する。室内機１１と室外機１２とは、冷媒配管Ｐによって互いに接続される。室内機１１及び室外機１２それぞれは、通信線Ｑによって空調制御装置１３に接続されている。
【００２２】
空調制御装置１３は、空調機１００を制御することによって、室内機１１周辺の温度（例えば、室内機１１に内蔵されている温度センサ１１３の検出値など）を設定温度ＴＳに調整する。空調制御装置１３は、通信線Ｑを介して、設定温度ＴＳを空調機に送信する。
【００２３】
なお、図示しないが、複数の室内機１１及び複数の室外機１２が設けられていてもよい。この場合、室内１０において、各室内機１１の出力（例えば、出力ワット数や風力など）に応じた広さに分割された複数のエリアそれぞれに複数の室内機１１それぞれが割り振られる。空調制御装置１３は、複数の室内機１１及び複数の室外機１２を連携制御する。複数の室内機１１は、割り振られたエリアの温度或いは温湿度に応じて、割り振られたエリアの温度を設定温度に調整する。
【００２４】
（空調制御装置の構成）
以下において、本発明の第１実施形態に係る空調制御装置の構成について、図面を参照しながら説明する。図２は、第１実施形態に係る空調制御装置１３の構成を示す図である。
【００２５】
図２に示すように、空調制御装置１３は、省エネモジュール２０、受付け部３０、空調機調停モジュール４０、空調制御モジュール５０、メモリ６０及び表示部７０を備える。
【００２６】
省エネモジュール２０は、空調機１００における省エネルギー化を可能とする温度である第１温度Ｔ１を設定する。後述するように、第１温度Ｔ１は、空調機１００の設定温度ＴＳとして用いられる。
【００２７】
省エネモジュール２０は、条件取得部２１と第１温度設定部２２とを有する。条件取得部２１は、所定の期間内に空調機１００によって消費された電力量と室内機１１周辺の温度とのうち少なくともひとつを含む省エネ条件を取得する。なお、省エネ条件には、室内機１１周辺の湿度などが含まれていてもよい。第１温度設定部２２は、省エネ運転が実行された場合、第１温度Ｔ１を省エネ条件に基づいて設定する。第１温度設定部２２は、例えば、当日の積算消費電力量が多く、湿度が比較的低いケースでは、快適性よりも省エネを重視して第１温度Ｔ１を設定し、また、当日の積算消費電力量が少なく、湿度が比較的高いケースでは、省エネよりも快適性を重視して第１温度Ｔ１を設定する。
【００２８】
ここで、第１温度は、室内機１１周辺の温度と、所定の期間内に空調機１００によって消費された電力量とのうちの少なくともひとつに基づいて算出されることとしたが、これに限られるものではない。第１温度は、空調制御装置１３において、室内機１１周辺の温度と、所定の期間内に空調機１００によって消費された電力量とのうちの少なくともひとつの入力を受けて算出されてもよい。また、第１温度は、室内機１１周辺の温度と、所定の期間内に空調機１００によって消費された電力量とのうちの少なくともひとつに基づいて算出された値が固定値として空調制御装置１３に記憶されていて、当該固定値が第１温度として使用されてもよい。
【００２９】
また、第1温度は、季節や時間帯などを含む時間情報に基づいて算出されてもよい。この場合、時間情報は、最終的に室内１０の気温、即ち、「室内機１１周辺の温度」に帰着されるので、「室内機１１周辺の温度に基づく」とは、時間情報を用いることを当然に含むものである。
【００３０】
さらに、第1温度は、室内機１１の出力（例えば、出力ワット数や風力）などの空調機１０の機能に関する情報を含む機能情報に基づいて算出されてもよい。この場合、機能情報は、最終的に「所定の期間内に空調機１００によって消費された電力量」に帰着されるので、「所定の期間内に空調機１００によって消費された電力量に基づく」とは、空調機１０の機能情報を使用することを当然に含むものである。
【００３１】
第１温度設定部２２は、省エネ運転が実行されない場合（起動時を含む）、第１温度Ｔ１を無効値に設定する。なお、第１温度Ｔ１は、夏場ではユーザが快適と感じる温度よりも高めに設定され、冬場ではユーザが快適と感じる温度よりも低めに設定される傾向にある。
【００３２】
受付け部３０は、ユーザが設定温度として希望する温度である希望温度の入力、すなわち、ユーザによる設定温度ＴＳの変更要求を受付ける。受付け部３０は、例えば、ユーザによる手入力が可能なリモコンである。ユーザは、室温ＴＲＯＯＭが高い又は低いと感じた場合、快適であると感じる所望の温度である第２温度Ｔ２を受付け部３０に入力する。なお、ユーザが快適であると感じる温度は時間の経過とともに変わるものであり、ユーザは、受付け部３０に入力する度に第２温度Ｔ２として異なる値を入力してもよい。
【００３３】
空調機調停モジュール４０は、空調機１００の設定温度ＴＳを設定する。空調機調停モジュール４０は、第１温度取得部４１、第２温度取得部４２及び温度設定部４３を有する。第１温度取得部４１は、第１温度設定部２２によって設定された第１温度Ｔ１を取得する。第２温度取得部４２は、受付け部３０から出力される希望温度を第２温度Ｔ２として取得する。温度設定部４３は、空調機１００における設定温度ＴＳを設定する。
【００３４】
ここで、本実施形態において、温度設定部４３は、省エネ運転が実行される場合、第１温度Ｔ１を設定温度ＴＳとして設定する。また、温度設定部４３は、第１温度Ｔ１を設定温度ＴＳとして設定している場合において第２温度Ｔ２が取得されたとき、第１温度Ｔ１と第２温度Ｔ２とに交互に繰り返し設定温度ＴＳとして設定する。すなわち、温度設定部４３は、省エネ運転中は第１温度Ｔ１を設定温度ＴＳとしており、ユーザから第２温度Ｔ２を取得した後は、第１温度Ｔ１と第２温度Ｔ２とを交互に設定温度ＴＳとする。
【００３５】
図３は、設定温度ＴＳと室温ＴＲＯＯＭとの推移を模式的に示すグラフである。図３は、夏場の例であり、省エネ化を可能とする第１温度Ｔ１は、ユーザが快適と感じる第２温度Ｔ２よりも高めに設定されている。
【００３６】
なお、後述するように、第１温度Ｔ１が設定温度ＴＳとして保持される時間（以下、「第１時間ｔ１」という。）と、第２温度Ｔ２が設定温度ＴＳとして保持される時間（以下、「第２時間ｔ２」という。）とは、メモリ６０に記憶されている。本実施形態では、第１時間ｔ１と第２時間ｔ２とは、予め設定されているものとする。
【００３７】
また、省エネ運転が実行されない場合、第１温度Ｔ１は無効値として設定されているので、温度設定部４３は、所定の温度を設定温度ＴＳとする。所定の温度は、省エネ化を可能とする第１温度Ｔ１よりもユーザが快適と感じる温度に近い温度であればよい。
【００３８】
空調制御モジュール５０は、空調機１００との間でデータを各種データを送受信する。空調制御モジュール５０は、入出力部５１と送受信部５２とを有する。入出力部５１は、空調機調停モジュール４０から設定温度ＴＳを取得する。また、入出力部５１は、送受信部５２を介して、空調機１００から各種データを取得する。入出力部５１は、設定温度ＴＳや各種データをメモリ６０に格納する。
【００３９】
メモリ６０は、上述した第１時間ｔ１及び第２時間ｔ２のほか、空調機の設定履歴や室内１０の温湿度履歴などを格納する。
【００４０】
表示部７０は、例えばディスプレイであり、設定温度ＴＳ及び室温ＴＲＯＯＭのほか、空調機１００の各種設定情報を表示する。
【００４１】
（空調制御装置の動作）
以下において、第１実施形態に係る空調制御装置の動作について、図面を参照しながら説明する。図４は、第１実施形態に係る空調制御装置１３の動作を示すフロー図である。
【００４２】
図４に示すように、ステップＳ１０において、空調制御装置１３は、起動に伴い、第１温度Ｔ１を無効値に設定するとともに、所定の温度を設定温度ＴＳとして設定する。空調制御装置１３は、所定の温度を設定温度ＴＳに保持する期限を設けない。
【００４３】
ステップＳ２０において、空調制御装置１３は、ユーザから第２温度Ｔ２が取得されたか否かを判定する。第２温度Ｔ２が取得された場合、処理はステップＳ３０に進む。第２温度Ｔ２が取得されない場合、処理はステップＳ４０に進む。
【００４４】
ステップＳ３０において、空調制御装置１３は、第２温度Ｔ２を設定温度ＴＳとして設定する。
【００４５】
ステップＳ４０において、空調制御装置１３は、省エネ運転が実行されたか否かを判定する。省エネ運転が実行された場合、処理はステップＳ５０に進む。省エネ運転が実行されない場合、処理はステップＳ２０に戻る。
【００４６】
ステップＳ５０において、空調制御装置１３は、第１温度Ｔ１を省エネ条件に基づいて設定する。
【００４７】
ステップＳ６０において、空調制御装置１３は、第１温度Ｔ１を設定温度ＴＳとして設定する。
【００４８】
ステップＳ７０において、空調制御装置１３は、省エネ運転が終了されたか否かを判定する。省エネ運転が終了された場合、処理はステップＳ１００に進む。省エネ運転が終了されない場合、処理はステップＳ８０に進む。
【００４９】
ステップＳ８０において、空調制御装置１３は、ユーザから第２温度Ｔ２が取得されたか否かを判定する。第２温度Ｔ２が取得された場合、処理はステップＳ９３に進む。第２温度Ｔ２が取得されない場合、処理はステップＳ７０に戻る。
【００５０】
ステップＳ９３において、空調制御装置１３は、第２温度Ｔ２を設定温度ＴＳとして設定する。具体的には、空調制御装置１３は、設定温度ＴＳを第１温度Ｔ１から第２温度Ｔ２に変更する。続いて、空調制御装置１３は、第２温度Ｔ２を設定温度ＴＳとして第２時間ｔ２保持する。
【００５１】
ステップＳ９５において、空調制御装置１３は、第１温度Ｔ１を設定温度ＴＳとして設定する。具体的には、空調制御装置１３は、設定温度ＴＳを第２温度Ｔ２から第１温度Ｔ１に変更する。続いて、空調制御装置１３は、第１温度Ｔ１を設定温度ＴＳとして第１時間ｔ１保持する。
【００５２】
空調制御装置１３は、省エネ運転が終了されるまで、ステップＳ９３及びステップＳ９５を繰り返す。省エネ運転が終了された場合には、ステップＳ９３又はステップＳ９５の途中であっても処理はステップＳ１００に進む。
【００５３】
ステップＳ１００において、空調制御装置１３は、省エネ運転が終了された場合、第２温度Ｔ２を設定温度ＴＳとして設定する。なお、通常の運転では、ステップＳ１００の後、処理はステップＳ２０に戻る。
【００５４】
（作用及び効果）
第１実施形態に係る空調制御装置１３において、温度設定部４３は、設定温度ＴＳを第１温度Ｔ１に設定している場合において第２温度Ｔ２が取得されたとき、第１温度Ｔ１と第２温度Ｔ２とを交互に繰り返して設定温度ＴＳとして設定する。
【００５５】
従って、空調機１００における省エネ化を可能とする第１温度Ｔ１と、ユーザが快適と感じる第２温度Ｔ２とによって、空調機を繰り返し制御することができる。その結果、空調機１００における省エネ化とユーザへの快適性の提供とを両立させることができる。
【００５６】
［第２実施形態］
次に、本発明の第２実施形態について図面を参照しながら説明する。以下においては、第１実施形態との相違点について主として説明する。具体的には、第１温度Ｔ１と第２温度Ｔ２との温度差に応じて、第１時間ｔ１と第２時間ｔ２とを設定する。
【００５７】
（空調制御装置の構成）
図５は、第２実施形態に係る空調制御装置１３の構成を示す図である。図５に示すように、空調制御装置１３は、判定部４４と時間設定部４５とをさらに備える。
【００５８】
判定部４４は、ユーザから第２温度Ｔ２が取得された場合、第１温度Ｔ１と第２温度Ｔ２との温度差ΔＴが所定の閾値ＴＴＨ（例えば、５℃）よりも大きいか否かを判定する。
【００５９】
時間設定部４５は、温度差ΔＴが所定の閾値ＴＴＨよりも大きい場合、第１時間ｔ１よりも第２時間ｔ２の方を長く設定する。時間設定部４５は、温度差ΔＴが所定の閾値ＴＴＨよりも小さい場合、第２時間ｔ２よりも第１時間ｔ１の方を長く設定する。時間設定部４５は、温度差ΔＴが所定の閾値ＴＴＨと同じである場合、第１時間ｔ１と第２時間ｔ２とを同じに長さに設定する。
【００６０】
温度設定部４３は、省エネ運転の実行中、すなわち第１温度Ｔ１に設定温度ＴＳを設定中に第２温度Ｔ２が取得された場合、第１温度Ｔ１と第２温度Ｔ２とを交互に設定温度ＴＳとする。具体的には、温度設定部４３は、第２温度Ｔ２を取得した時刻において、設定温度ＴＳを第１温度Ｔ１から第２温度Ｔ２に変更する。次に、温度設定部４３は、第２温度Ｔ２を設定温度ＴＳとして第２時間ｔ２の間保持した後、第１温度Ｔ１を設定温度ＴＳとして第１時間ｔ１の間保持することを繰り返す。
【００６１】
なお、本実施形態において、メモリ６０は、第１時間ｔ１及び第２時間ｔ２を記憶していなくてもよい。
【００６２】
（空調制御装置の動作）
以下において、第２実施形態に係る空調制御装置の動作について、図面を参照しながら説明する。図６は、第２実施形態に係る空調制御装置１３の動作を示すフロー図である。なお、以下においては、第１実施形態との相違点について主に説明する。具体的には、ステップＳ８０に続くステップＳ１〜Ｓ７について説明する。
【００６３】
図６に示すように、空調制御装置１３は、ステップＳ８０において、第２温度Ｔ２が取得されたと判定された場合、ステップＳ１において、第１温度Ｔ１と第２温度Ｔ２との温度差ΔＴが閾値ＴＴＨよりも大きいか否かを判定する。温度差ΔＴが閾値ＴＴＨよりも大きい場合、処理はステップＳ２に進む。温度差ΔＴが閾値ＴＴＨよりも大きくない場合、処理はステップＳ３に進む。
【００６４】
ステップＳ２において、空調制御装置１３は、第１時間ｔ１よりも第２時間ｔ２の方を長く設定する。
【００６５】
ステップＳ３において、空調制御装置１３は、温度差ΔＴが閾値ＴＴＨよりも小さいか否かを判定する。温度差ΔＴが閾値ＴＴＨよりも小さい場合、処理はステップＳ４に進む。温度差ΔＴが閾値ＴＴＨよりも小さくない場合、処理はステップＳ５に進む。
【００６６】
ステップＳ４において、空調制御装置１３は、第２時間ｔ２よりも第１時間ｔ１の方をより長く設定する。
【００６７】
ステップＳ５において、空調制御装置１３は、第１時間ｔ１と第２時間ｔ２とを同じに長さに設定する。
【００６８】
ステップＳ６において、空調制御装置１３は、第２温度Ｔ２を設定温度ＴＳとして設定する。具体的には、空調制御装置１３は、設定温度ＴＳを第１温度Ｔ１から第２温度Ｔ２に変更する。続いて、空調制御装置１３は、第２温度Ｔ２を設定温度ＴＳとして第２時間ｔ２保持する。
【００６９】
ステップＳ７において、空調制御装置１３は、第１温度Ｔ１を設定温度ＴＳとして設定する。具体的には、空調制御装置１３は、設定温度ＴＳを第２温度Ｔ２から第１温度Ｔ１に変更する。続いて、空調制御装置１３は、第１温度Ｔ１を設定温度ＴＳとして第１時間ｔ１保持する。
【００７０】
空調制御装置１３は、省エネ運転が終了されるまで、ステップＳ１〜Ｓ７を繰り返す。省エネ運転が終了された場合には、ステップＳ１〜Ｓ７の途中であっても処理はステップＳ１００に進む。
【００７１】
また、図示しないが、ステップＳ１〜Ｓ７を繰り返している際にユーザから設定温度ＴＳの変更要求を受付けた場合には、処理はステップＳ１に戻ることに留意すべきである。
【００７２】
ステップＳ１００において、空調空調制御装置１３は、省エネ運転が終了された場合、第２温度Ｔ２を設定温度ＴＳとして設定する。なお、通常の運転では、ステップＳ１００の後、処理はステップＳ２０に戻る（図４参照）。
【００７３】
（作用及び効果）
第２実施形態に係る空調制御装置１３において、時間設定部４５は、温度差ΔＴが所定の閾値ＴＴＨよりも大きい場合、第１時間ｔ１よりも第２時間ｔ２の方をより長く設定する。
【００７４】
このように、温度差ΔＴが所定の閾値ＴＴＨよりも大きい場合、すなわちユーザが快適性の向上を強く求めていると考えられる場合には、第１時間ｔ１より第２時間ｔ２を長くすることによって、空調機１００における省エネ化よりもユーザへの快適性の提供に重きを置くことができる。その結果、ユーザごとに異なる好みに合わせて、省エネ化と快適性の提供とを両立させることができる。
【００７５】
［第３実施形態］
次に、本発明の第３実施形態について図面を参照しながら説明する。以下においては、第１実施形態との相違点について主として説明する。具体的には、ユーザが設定温度ＴＳの変更を求める回数に応じて、第２時間ｔ２の長さを調節する。
【００７６】
（空調制御装置の構成）
図７は、第３実施形態に係る空調制御装置１３の構成を示す図である。図７に示すように、空調制御装置１３は、取得回数カウント部４６と時間設定部４５とをさらに備える。
【００７７】
取得回数カウント部４６は、第２温度取得部４２がユーザから第２温度Ｔ２を取得した回数、すなわちユーザから設定温度ＴＳの変更要求を受付けた回数である取得回数Ｆをカウントする。
【００７８】
時間設定部４５は、取得回数Ｆが増えるに従って、第２時間ｔ２を徐々に長くする。従って、初めてユーザが受付け部３０に第２温度Ｔ２を入力した後、再び第２温度Ｔ２を入力するたびに第２時間ｔ２が長くなっていく。時間設定部４５は、取得回数Ｆ（１，２，３，４・・・）に対応付けられた第２時間ｔ２（例えば、５分,６分,７分,８分…）を記憶している。なお、本実施形態において、時間設定部４５は、第１時間ｔ１として所定の固定値を記憶していればよい。従って、本実施形態において、メモリ６０は、第１時間ｔ１及び第２時間ｔ２を記憶していなくてもよい。
【００７９】
（空調制御装置の動作）
以下において、第３実施形態に係る空調制御装置の動作について、図面を参照しながら説明する。図８は、第３実施形態に係る空調制御装置１３の動作を示すフロー図である。なお、以下においては、第１実施形態との相違点について主に説明する。具体的には、ステップＳ８０に続くステップＳ８１〜Ｓ８５について説明する。
【００８０】
図８に示すように、ステップＳ８１において、空調制御装置１３は、取得回数Ｆを１カウントＵＰする。
【００８１】
ステップＳ８２において、空調制御装置１３は、取得回数Ｆに応じて第２時間ｔ２を設定する。具体的には、空調制御装置１３は、取得回数Ｆが多いほど第２時間ｔ２が長くなるように、取得回数Ｆに対応付けられた時間を第２時間ｔ２として設定する。
【００８２】
ステップＳ８３において、空調制御装置１３は、第２温度Ｔ２を設定温度ＴＳとして設定する。具体的には、空調制御装置１３は、設定温度ＴＳを第１温度Ｔ１から第２温度Ｔ２に変更する。続いて、空調制御装置１３は、第２温度Ｔ２を設定温度ＴＳとして第２時間ｔ２保持する。
【００８３】
ステップＳ８４において、空調制御装置１３は、第１温度Ｔ１を設定温度ＴＳとして設定する。具体的には、空調制御装置１３は、設定温度ＴＳを第２温度Ｔ２から第１温度Ｔ１に変更する。続いて、空調制御装置１３は、第１温度Ｔ１を設定温度ＴＳとして第１時間ｔ１保持する。
【００８４】
ステップＳ８５において、空調制御装置１３は、ユーザから第２温度Ｔ２が取得されたか否か、すなわち、設定温度ＴＳの変更要求を受付けたか否かを判定する。第２温度Ｔ２が取得された場合、処理はステップＳ８１に戻る。第２温度Ｔ２が取得されていない場合、処理はステップＳ８２に戻る。
【００８５】
空調制御装置１３は、省エネ運転が終了されるまで、ステップＳ８２〜Ｓ８５を繰り返す。省エネ運転が終了された場合には、ステップＳ８２〜Ｓ８５の途中であっても処理はステップＳ１００に進む。
【００８６】
ステップＳ１００において、空調制御装置１３は、第２温度Ｔ２を設定温度ＴＳとして設定する。なお、通常の運転では、ステップＳ１００の後、処理はステップＳ２０に戻る（図４参照）。
【００８７】
（作用及び効果）
第３実施形態に係る空調制御装置１３において、時間設定部４５は、取得回数Ｆが増えるに従って、第２時間ｔ２を徐々に長くする。
【００８８】
このように、取得回数Ｆが多いほど、すなわちユーザが快適性の向上を強く求めていると考えられるほど、第２時間ｔ２を長くすることによって、空調機１００における省エネ化よりもユーザへの快適性の提供に重きを置くことができる。その結果、ユーザごとに異なる好みに合わせて、省エネ化と快適性の提供とを両立させることができる。
【００８９】
［第４実施形態］
次に、本発明の第４実施形態について図面を参照しながら説明する。以下においては、第１実施形態との相違点について主として説明する。具体的には、ユーザが設定温度ＴＳの変更を求めた時点からの経過時間に応じて、第２時間ｔ２の長さを短く調節する。
【００９０】
（空調制御装置の構成）
図９は、第４実施形態に係る空調制御装置１３の構成を示す図である。図９に示すように、空調制御装置１３は、経過時間カウント部４７と時間設定部４５とをさらに備える。
【００９１】
経過時間カウント部４７は、第２温度取得部４２がユーザから第２温度Ｔ２を取得した後、第２温度Ｔ２を取得した時点からの経過時間Ｇをカウントする。
【００９２】
時間設定部４５は、経過時間Ｇが長くなるに従って、第２時間ｔ２を徐々に短くする。従って、ユーザが第２温度Ｔ２を入力した後、経過時間が長いほど、第２時間ｔ２は短くなっていく。時間設定部４５は、経過時間Ｇ（例えば、７分,８分,９分,１０分…）に対応付けられた第２時間ｔ２（例えば、８分,７分,６分,５分…）を記憶している。なお、本実施形態において、時間設定部４５は、第１時間ｔ１として所定の固定値を記憶していればよい。従って、本実施形態において、メモリ６０は、第１時間ｔ１及び第２時間ｔ２を記憶していなくてもよい。
【００９３】
（空調制御装置の動作）
以下において、第４実施形態に係る空調制御装置の動作について、図面を参照しながら説明する。図１０は、第４実施形態に係る空調制御装置１３の動作を示すフロー図である。なお、以下においては、第１実施形態との相違点について主に説明する。具体的には、ステップＳ８０に続くステップＳ８６〜Ｓ９０について説明する。
【００９４】
図１０に示すように、ステップＳ８６において、空調制御装置１３は、経過時間Ｇのカウントをスタートする。
【００９５】
ステップＳ８７において、空調制御装置１３は、経過時間Ｇに応じて第２時間ｔ２を設定する。具体的には、空調制御装置１３は、経過時間Ｇが長いほど第２時間ｔ２が短くなるように、経過時間Ｇに対応付けられた時間を第２時間ｔ２として設定する。
【００９６】
ステップＳ８８において、空調制御装置１３は、第２温度Ｔ２を設定温度ＴＳとして設定する。具体的には、空調制御装置１３は、設定温度ＴＳを第１温度Ｔ１から第２温度Ｔ２に変更する。続いて、空調制御装置１３は、第２温度Ｔ２を設定温度ＴＳとして第２時間ｔ２保持する。
【００９７】
ステップＳ８９において、空調制御装置１３は、第１温度Ｔ１を設定温度ＴＳとして設定する。具体的には、空調制御装置１３は、設定温度ＴＳを第２温度Ｔ２から第１温度Ｔ１に変更する。続いて、空調制御装置１３は、第１温度Ｔ１を設定温度ＴＳとして第１時間ｔ１保持する。
【００９８】
ステップＳ９０において、空調制御装置１３は、ユーザから第２温度Ｔ２が取得されたか否か、すなわち、設定温度ＴＳの変更要求を受付けたか否かを判定する。第２温度Ｔ２が取得された場合、処理はステップＳ８６に戻る。第２温度Ｔ２が取得されていない場合、処理はステップＳ８７に戻る。
【００９９】
空調制御装置１３は、省エネ運転が終了されるまで、ステップＳ８７〜Ｓ９０を繰り返す。省エネ運転が終了された場合には、ステップＳ８７〜Ｓ９０の途中であっても処理はステップＳ１００に進む。
【０１００】
また、図示しないが、空調制御装置１３は、経過時間Ｇが所定の時間を越えたことによって第２時間ｔ２が「０」に設定された場合には、第１温度Ｔ１を設定温度ＴＳとして保持すればよいことに留意すべきである。
【０１０１】
ステップＳ１００において、空調制御装置１３は、第２温度Ｔ２を設定温度ＴＳとして設定する。なお、通常の運転では、ステップＳ１００の後、処理はステップＳ２０に戻る（図４参照）。
【０１０２】
（作用及び効果）
第４実施形態に係る空調制御装置１３において、時間設定部４５は、経過時間Ｇが長くなるに従って、第２時間ｔ２を徐々に短くする。
【０１０３】
このように、経過時間Ｇが長いほど、すなわちユーザが快適性の向上を強く求めていないと考えられるので、第２時間ｔ２を短くすることによって、ユーザへの快適性の提供よりも空調機１００における省エネ化に重きを置くことができる。その結果、ユーザごとに異なる好みに合わせて、省エネ化と快適性の提供とを両立させることができる。
【０１０４】
［第５実施形態］
次に、本発明の第５実施形態について図面を参照しながら説明する。第５実施形態では、上述の第１実施形態に第２〜第４実施形態すべてを組み合わせるケースについて説明する。従って、以下の説明では、上述の第１〜第４実施形態との相違点について主に説明する。
【０１０５】
（空調制御装置の構成）
図１１は、第５実施形態に係る空調制御装置１３の構成を示す図である。図１１に示すように、空調制御装置１３は、上記第１実施形態に係る構成に加えて、上記第２〜第４実施形態に係る判定部４４、時間設定部４５、取得回数カウント部４６及び経過時間カウント部４７を備える。
【０１０６】
（空調制御装置の動作）
以下において、第５実施形態に係る空調制御装置の動作について、図面を参照しながら説明する。図１２は、第３実施形態に係る空調制御装置１３の動作を示すフロー図である。なお、以下においては、第１実施形態に係る空調制御装置１３の動作との相違点について主に説明する。具体的には、ステップＳ８０に続くステップＳ１０１〜Ｓ１１２について説明する。
【０１０７】
図１２に示すように、ステップＳ１０１において、空調制御装置１３は、経過時間Ｇに応じて第２時間ｔ２を設定する。具体的には、空調制御装置１３は、経過時間Ｇが長いほど第２時間ｔ２が短くなるように、経過時間Ｇに対応付けられた時間を第２時間ｔ２として設定する。
【０１０８】
ステップＳ１０２において、空調制御装置１３は、空調制御装置１３は、取得回数Ｆを１カウントＵＰする。
【０１０９】
ステップＳ１０３において、空調制御装置１３は、第１温度Ｔ１と第２温度Ｔ２との温度差ΔＴが閾値ＴＴＨよりも大きいか否かを判定する。温度差ΔＴが閾値ＴＴＨよりも大きい場合、処理はステップＳ１０４に進む。温度差ΔＴが閾値ＴＴＨよりも大きくない場合、処理はステップＳ１０５に進む。
【０１１０】
ステップＳ１０４において、空調制御装置１３は、第１時間ｔ１よりも第２時間ｔ２の方を長く設定する。
【０１１１】
ステップＳ１０５において、空調制御装置１３は、温度差ΔＴが閾値ＴＴＨよりも小さいか否かを判定する。温度差ΔＴが閾値ＴＴＨよりも小さい場合、処理はステップＳ１０６に進む。温度差ΔＴが閾値ＴＴＨよりも小さくない場合、処理はステップＳ１０７に進む。
【０１１２】
ステップＳ１０６において、空調制御装置１３は、第２時間ｔ２よりも第１時間ｔ１の方をより長く設定する。
【０１１３】
ステップＳ１０７において、空調制御装置１３は、第１時間ｔ１と第２時間ｔ２とを同じに長さに設定する。
【０１１４】
ステップＳ１０８において、空調制御装置１３は、取得回数Fに応じて、第２時間ｔ２を調整する。具体的には、取得回数Ｆが多いほど第２時間ｔ２が長くなるように、温度差ΔＴに応じて定められた第２時間ｔ２の長さを調整する。
【０１１５】
ステップＳ１０９において、空調制御装置１３は、経過時間Gに応じて、第２時間ｔ２を調整する。具体的には、経過時間Ｇが長いほど第２時間ｔ２が短くなるように、取得回数Fに応じて調整された第２時間ｔ２をさらに調整する。
【０１１６】
ステップＳ１１０において、空調制御装置１３は、第２温度Ｔ２を設定温度ＴＳとして設定し、第２時間ｔ２保持する。
【０１１７】
ステップＳ１１１において、空調制御装置１３は、第１温度Ｔ１を設定温度ＴＳとして設定し、第１時間ｔ１保持する。
【０１１８】
ステップＳ１１２において、空調制御装置１３は、ユーザから第２温度Ｔ２が取得されたか否か、すなわち、設定温度ＴＳの変更要求を受付けたか否かを判定する。第２温度Ｔ２が取得された場合、処理はステップＳ１０１に戻る。第２温度Ｔ２が取得されていない場合、処理はステップＳ１０９に戻る。
【０１１９】
空調制御装置１３は、省エネ運転が終了されるまで、ステップＳ１０９〜ステップＳ１１２を繰り返す。省エネ運転が終了された場合には、ステップＳ１０９〜ステップＳ１１２の途中であっても処理はステップＳ１００に進む。
【０１２０】
（作用及び効果）
第５実施形態に係る空調制御装置１３によれば、温度差ΔＴ、取得回数Ｆ及び経過時間Gのすべてを第２時間ｔ２に反映させることができるので、空調機１００における省エネ化とユーザへの快適性の提供とをより精度良く両立させることができる。
【０１２１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２２】
例えば、上記第２実施形態において、判定部４４は、１つの閾値ＴＴＨを用いることとしたが、第１閾値ＴＴＨ１及び第２閾値ＴＴＨ２（ＴＴＨ１＞ＴＴＨ２）を用いてもよい。具体的には、判定部４４は、温度差ΔＴが第１閾値ＴＴＨ１よりも大きいか否か、及び温度差ΔＴが第２閾値ＴＴＨ２よりも小さいか否かを判定する。時間設定部４５は、温度差ΔＴが第１閾値ＴＴＨ１よりも大きい場合、第１時間ｔ１よりも第２時間ｔ２の方を長く設定する。時間設定部４５は、温度差ΔＴが第２閾値ＴＴＨ２よりも小さい場合、第２時間ｔ２よりも第１時間ｔ１の方を長く設定する。時間設定部４５は、温度差ΔＴが第１閾値ＴＴＨ１と第２閾値ＴＴＨ２との間である場合、第１時間ｔ１と第２時間ｔ２とを同じに長さに設定する。
【０１２３】
なお、上述した空調制御装置１３のハードウェア構成は、プログラムモジュールとして実現することができる。したがって、上述した空調制御装置１３において実行されるとした処理は、空調制御装置１３の機能を有した汎用コンピュータ等によって実行されてもよい。
【符号の説明】
【０１２４】
１…空調システム
１０…室内
１１…室内機
１２…室外機
１３…空調制御装置
２０…省エネモジュール
２１…条件取得部
２２…第１温度設定部
３０…受付け部
４０…空調機調停モジュール
４１…第１温度取得部
４２…第２温度取得部
４３…温度設定部
４４…判定部
４５…時間設定部
４６…取得回数カウント部
４７…経過時間カウント部
５０…空調制御モジュール
５１…入出力部
５２…送受信部
６０…メモリ
７０…表示部
１００…空調機
１１１…熱交換器
１１２…ファン
１１３…温湿度センサ
１２１…熱交換器
１２２…ファン
１２３…圧縮機
１２４…四方弁
１２５…膨張弁
【図１】
2010276287.tif 000003
【図２】
2010276287.tif 000004
【図３】
2010276287.tif 000005
【図４】
2010276287.tif 000006
【図５】
2010276287.tif 000007
【図６】
2010276287.tif 000008
【図７】
2010276287.tif 000009
【図８】
2010276287.tif 000010
【図９】
2010276287.tif 000011
【図１０】
2010276287.tif 000012
【図１１】
2010276287.tif 000013
【図１２】
2010276287.tif 000014